(57)【要約】  本発明は団扇と帽子の両機能を果たすファン内帽子を提供する。 連結した上下ハンドルからなる剛体材料でできている変換可能なハンドルは風を送るためのファン用グリップとしての機能を果たし、当該の連結した上下ハンドルを係止解除かつ展開すると帽子バンドとしての機能を果たし、したがって上下ハンドルを用いてファン頭部を太陽光を遮断するための帽子バイザーとして着用することができる。
2007517578.tif 000002
【特許請求の範囲】
【請求項１】
ファン 31 頭部としての機能を果たす薄板; ハンドル 32 がファン用ハンドルおよび帽子バンドとして二重機能を有するような、ファン 31 頭部の中央下端部に挿入した変換可能な当該ハンドル 32; 2 つのハンドルがピンによって支持板 35 にファン 31 頭部の上側および下側で抑止され、当該上下ハンドル 33、34 は、上下ハンドル 33、34 がファン 31 頭部に締着されている部分にあるスロット37 によってファン 31 頭部の上部分にある上板 38、39 と、ファン 31 頭部の下部分にある下板 40、41 とに分割されているような、アークの形をした上ハンドル 33 および下ハンドル 34 からなる当該ハンドル 32 を具備するファン内帽子。
上下ハンドルを支える能力のあるスリット 42 が当該上下ハンドル 33、34 の下部分にあるファン内帽子。
滑り止43 が支持板 35 の当該下端部に載置され、したがってハンドルが日焼け用グリップとして用いられる一方、上下ハンドル 33、34 の下板 40、41 が滑り落ちないようなファン内帽子。
維持用滑り止 44、45 が下ハンドル 33、34 の上板 38、39 に載置され、当該下ハンドル 34 の上板 39 上の滑り止が弾性材料でできており、したがって、ハンドルが展開されると、滑り止の弾性により滑り止が上向きに突出して、上ハンドル 33 の上板 38 上の滑り止と結合することを引き起こすファン内帽子。
【請求項２】
補助バンドを主ハンドル 32 を具備する上下ハンドル 33、34 に装着することができ、したがって本発明が帽子として着用されるときに当該補助バンドによって帽子が滑り落ちることを防止できる請求項 1 に示したファン内帽子。
【請求項３】
当該上下ハンドル 33、34 がピン 55 によって独立して締着されている請求項 1 に示したファン内帽子。
連動装置 56、57 を主ハンドルが折り畳まれるときに上下ハンドルが結合する部分に載置するファン内帽子。
【発明の詳細な説明】
【技術分野】
【０００１】
本発明はファンに関するものであって、より具体的には、折り畳んでファン用グリップとして、あるいは展開して帽子バンドとしての機能を果たすことができる剛体材料でできている変換可能なハンドルを用いるファン内帽子に関するものである。 ファン内帽子はファン頭部およびファン用ハンドルとしての機能を果たす薄板からなる。 ハンドルは上下ハンドルからなる。上下ハンドルはアーク形状で、当該上下ハンドルは連結してファンのグリップを形成する。
【０００２】
連結した上ハンドルと左ハンドルは簡単に係止解除および展開して帽子バンドとしての機能を果たすので、ファン頭部を帽子バイザーとして頭上に着用することができる。
【背景技術】
【０００３】
一般に、従来のファンは屋外温度および太陽光強度が高い夏季に物理的に風を煽って涼をとるために用いられる。
【０００４】
従来のファンは容易に運搬することができ、風を煽って涼をとるために用いられるが、これら従来のファンは風を煽る以外の追加機能に欠ける。 激烈な太陽光を遮断するには、涼をとるためファンを持ち運ぶことに加えて、太陽光を遮断するための帽子 (特にバイザー付き帽子) を携帯する必要がある。
【０００５】
夏季中に涼しさを保つためにファンと共に帽子も持ち運ばなくてはならないという問題を是正するため、種々の形状および形態のファン内帽子が作り出されて用いられている。
【０００６】
本発明は過去に実用新案特許(実願番号1998-15587) を申請したものであって、下記は該実用新案実願の内容の要約である。
【０００７】
ファン頭部としての機能を果たす円形薄板の下端部で、ロープ長調節器を介してロープを円形薄板に連結する。 ロープ長調節器をファン頭部に近づけると、ロープ長調節器背後から伸びるロープの長い突出線を風を煽るためのファンのグリップとして使用することができる。
【０００８】
ファンを帽子に変換したいときには、ロープ長調節器をファン頭部から遠ざけてロープを頭上に着用する帽子バンドとして使用することができ、ファン頭部は帽子バイザーとしての機能を果たす。
【発明の開示】
【発明が解決しようとする課題】
【０００９】
本発明は上記問題を考慮してなされたもので、ファンと帽子の両機能を果たすファン内帽子を提供することが本発明の目的である。 さらに、折り畳んでファン用グリップを形成し、展開して帽子のバンド様構造を形成することができ、したがってファン頭部を太陽光を遮断するための頭上の帽子バイザーとして着用することができるファン用ハンドルを提供することも本発明の目的である。
【課題を解決するための手段】
【００１０】
上記目的を達成するためには、本発明により、折り畳んでファンのハンドルを形成し、展開して帽子バンドを形成する剛体材料でできているハンドル; ファン頭部としての機能を果たし、また、本発明が帽子として着用されるときに当該ファン頭部がバイザーとしての機能も果たす円形の合成樹脂でできている薄板からなるファン内帽子を提供する。
【発明を実施するための最良の形態】
【００１１】
以下、本発明の好ましい実施形態を添付図面を参照して詳細に説明する。
【００１２】
図１はファンモード状態にある本発明の好ましい実施形態に従ったファン内帽子の斜視図であり;図２は本発明の好ましい実施形態に従ったファンのハンドル部（符号32）の分解斜視図であり;図３は本発明の好ましい実施形態に従ったファン内帽子ハンドル部の平面図であり;図４（ａ）は図３のA-A断面図の部分断面図であり、および図４（ｂ）は図３のB-B断面図の部分断面図であり;図５は展開して帽子用バンドとしての機能を果たすファン内帽子ハンドル部の平面図であり;図６は本発明に従った帽子モード状態にあるファン内帽子の斜視図であり;図７は本発明の別の好ましい実施形態に係る帽子モード状態にあるファン内帽子の平面図であり;図８は本発明の別の好ましい実施形態に従った本発明のハンドル部の平面図である。
【００１３】
本発明に係るファン内帽子はファン 31 頭部としての機能を果たす円形の合成樹脂材料でできている薄板からなり; ハンドル 32 はファン 31 頭部の中央下端に挿入し; 当該ハンドル 32 はファン用ハンドルと帽子バンドの両機能を果たすために変換することができる。
【００１４】
当該ハンドル 32 は一対のアーチ形ハンドルからなるものであって、その一対のアーチ形ハンドルは上ハンドル 33 および下ハンドル 34 からなり、当該上ハンドル 33 および下ハンドル 34 はピン 36 によって支持板 35 の中央に締着する。
【００１５】
当該支持板 35 は締着装置としての機能を果たし、ピンまたはリベットによってファン 31 頭部表面およびファン 31 頭部下側に配置する。
【００１６】
当該上下ハンドル 33、34 は、当該上下ハンドル 33、34 がファン 31 頭部に締着されるハンドル 32 の上部分にあるスロット37 によって上板 38、39 および下板 40、41 にさらに再分割する。 ハンドル 32 の下部分では、ハンドル 32 を折り畳むと上下ハンドル 33、34 の両方がファン 31 頭部のごく一部をスリット 42 に対応させることができるようにスリット 42 を配置する。
【００１７】
ファン 31 頭部が自然にそれ自体を上下ハンドル 33、34 のスロット37 に位置決めできるように、当該上板 38、39 をファン 31 頭部の上側に載置し、当該下板 40、41 をファン 31 頭部の下側に載置する。
【００１８】
下部分ハンドル 33、34 の下板 40、41 をファン用ハンドルとして用いるときに下ハンドルが滑り落ちることを防止できるように、ファン頭部 35 下側の支持板は滑り止 43 を具備する。
【００１９】
ファン 31 頭部の上部分にある上下ハンドル 33、34 上部分の当該上板 38、39 は、当該展開形態における当該上下ハンドル 33、34 が帽子バンドとしての機能を果たすことができるように、上下ハンドルを展開形態に維持するための維持用滑り止 44、45 をさらに具備する。
【００２０】
下ハンドル 34 の当該上板 39 上にある当該維持用滑り止 45 、およびより低い位置からの当該維持用滑り止を上下ハンドル 33、34 を嵌脱および展開することによって上昇させ、上ハンドル 33 の上板 38 上にある維持用滑り止 44 と結合する。 維持用滑り止は弾性材料でできていることが推奨される。
【００２１】
本発明の規定によれば、上記の二重機能ファン 30 は: 初期段階では上ハンドル 33 および下ハンドル 34 が共に連結し、当該ハンドル 33、34 を平面図で見て片側性の形状に形成し (側面図で見てハンドルをアーチ形状を形成する)、当該連結上下ハンドル 33、34 を保持することによって当該上下ハンドル 33、34 を二重機能ファンおよびファン自体をグリップするために使用することができる構成となっている。
【００２２】
上下ハンドル 33、34、32 上に形成したスロット37 およびスリット 42 を具備するハンドル 32 と、当該上下ハンドル 33、34 を構成する上板 38、39 および下板 40、41 とを相互交差することによって連結し、この相互交差によってハンドル 32 が片側性の形状を維持することができるようにする。
【００２３】
ファン 31 頭部の下端部に載置した支持板 35 の一面または両面上にある滑り止 43 により、上ハンドルおよび下ハンドルが互いから容易に分離または滑り落ちることがないように保つことができる。
【００２４】
本発明に係るファン内帽子を現在のファン状態から太陽光を遮断するための帽子に変換して使用する際:連結した上下ハンドル 33、34 を嵌脱および展開することによって当該上下ハンドル 33、34 を変換して円形バンドを形成すると、上下ハンドル 33、34 によって形成したその円形バンドを用いてファンを帽子として着用することができる。
【００２５】
当該状況では、当該上下ハンドル 33、34 はファン 31 頭部の中心線に対して直角となり、したがってファン 31 頭部の一部は、上下ハンドル 33、34 上にあるスロット37 に挿入され、それによってファン 31 頭部が円形となり、帽子バイザーとしての役割を果たすことが可能になる。
【００２６】
上下ハンドル 33、34 を分離および展開させるときには、ユーザの力により、ハンドルがファン 31 頭部の下端部に位置する支持板 35 上にある滑り止 43 通り越すことが可能になる。
【００２７】
上下ハンドル 33、34 を係止解除および展開すると、それらは可能な限り展開し、したがって上板 38、39 に載置した維持用滑り止 44、45 が互いに結合してハンドルを展開形態に持続することができる。
【００２８】
下ハンドル 34 の上板 39 に載置した維持用滑り止 45 は弾性材料でできている。 常時には、維持用滑り止 45 は上板 38 の背後に隠れるが、ハンドルを展開すると、維持用滑り止 45 は上板 38 から自動的に解放され、当該維持用滑り止 45 の張力および弾性によって、当該維持用滑り止 45 は上向きに突出し、当該維持用滑り止 45 は上ハンドル 34 の上板 38 上にある維持用滑り止 44 に結合する。
【００２９】
上述した帽子は、連結した維持用滑り止 44、45 を単に穏やかに押すことによって変換してファンに戻すことができ、したがって下ハンドル 34 の上板 39 に形成した維持用滑り止 45 を上ハンドル 33 の上板 38 押し入れることができる。 次いで、上下ハンドル 33、34 を折り畳んで元の形状に戻す。
【００３０】
本発明では、本発明の別の好ましい実施形態によれば、補助バンド 50 を使用して、上下ハンドル 33、34 の尖端に取り付けて帽子が容易に落ちないようにすることができる。
【００３１】
本発明では、本発明のさらに別の好ましい実施形態によれば、ピン 55 を使用して、上ハンドルおよび下ハンドル 33、34 を独立して締着し、ハンドルがピンによって締着される部分に連動装置 56、57 を具備することができ、したがって折り畳んだときにハンドルが連結位置を維持かつ持続することができる。
【００３２】
かくして、本発明によれば、上記に示した本発明の目的を達成するファン内帽子が提供される。 上記に開示した本発明の好ましい実施形態の多くの変更形態が当業者であれば容易に思いつくであろう。 本発明には、かかるすべての変更形態が添付請求項の範囲内のものとして含まれるものとする。
【産業上の利用可能性】
【００３３】
上記のように、本発明のハンドル部は耐久性のある材料でできており、当該ハンドルは折り畳みおよび展開することができ、したがってハンドルはファン用グリップとしての機能を果たすことができ、したがってユーザ自身に風を送るためにそのグリップを利用できるファン内帽子を本発明の規定に従って提供する。 また、本ハンドルを変換すると、帽子バンドとしての機能を果たすことができ、したがって本発明を太陽光を遮断するための帽子として着用することもできる。 ファン頭部は帽子バイザーとしての機能を果たす。
【図面の簡単な説明】
【００３４】
【図１】本発明の好ましい実施形態に従ったファンモード状態のファン内帽子の斜視図である。
【図２】本発明の好ましい実施形態に従った帽子ハンドル部 [符号 32] の分解斜視図である。
【図３】本発明の好ましい実施形態に従ったファン内帽子ハンドル部の平面図である。
【図４】（ａ）は図３のA-A断面の部分断面図であり、（ｂ）は図３のB-B断面の部分断面図である。
【図５】ファンが帽子バンドとしての機能を果たすために展開状態になっている頭部ハンドル部の平面図である。
【図６】本発明に従った帽子モード状態にあるファン内帽子の斜視図である。
【図７】本発明の別の好ましい実施形態に従った帽子モード状態にあるファン内帽子の平面図である。
【図８】本発明の別の好ましい実施形態に従った本発明のハンドル部の平面図である。
【図１】
2007517578.tif 000003
【図２】
2007517578.tif 000004
【図３】
2007517578.tif 000005
【図４】
2007517578.tif 000006
【図５】
2007517578.tif 000007
【図６】
2007517578.tif 000008
【図７】
2007517578.tif 000009
【図８】
2007517578.tif 000010
【国際調査報告】
2007517578.tif 000011